(57)【要約】【課題】視聴者がテレビ放送を視聴している時に、出演者が話した言葉や気になるキーワードに関する情報の提供を受けるシステムを提供する。【解決手段】放送番組の字幕から文字情報を抽出する信号分離部と、信号分離部で抽出された文字情報を解析して文字列を生成する字幕解析部と、字幕解析部で生成された文字列情報を送信する送信部を備え、放送番組を表示する表示装置と、文字列情報を受信する受信部と、文字列情報を表示する表示部と、表示部に表示された文字列を選択するための選択部を備え、前記表示装置とネットワークにより接続された端末装置を有し、該端末装置は、選択部で選択された文字列を検索語としてネットワークに送信し、検索語に係る情報をインターネットから取得して表示する。【選択図】図１
2013045139.tif 000002
【特許請求の範囲】
【請求項１】
ネットワークに接続された表示装置と端末装置を備え、字幕放送を有する放送番組の関連情報を検索するネットワーク端末システムであって、
前記表示装置は、
前記放送番組を表示する表示部と、
前記放送番組の字幕放送に係る文字情報を抽出する信号分離部と、
該信号分離部で抽出された前記文字情報に係る文字列を生成する情報処理部と、
該情報処理部で生成された前記文字列を前記ネットワークに送信する送信部
を備えており、
前記端末装置は、
前記表示装置の送信部が送信した文字列を前記ネットワークから受信する通信部と、
該通信部が受信した文字列を表示する表示部と、
該表示部に表示された文字列からユーザーがいずれかを選択するための選択部
を備えており、
前記端末装置は、さらに、
前記選択部で選択された文字列を情報検索用の検索語として前記通信部より前記ネットワークに送信し、前記検索語に係る前記関連情報を前記ネットワークから前記通信部を介して受信し、受信した前記関連情報を前記端末装置の表示部に表示する
ことを特徴とするネットワーク端末システム。
【請求項２】
ネットワークに接続された表示装置と端末装置を備え、放送に伴って供給された電子番組表に記載された放送番組に係る関連情報を検索するネットワーク端末システムであって、
前記表示装置は、
前記放送番組を表示する表示部と、
前記放送番組の電子番組表に係る文字情報を抽出する信号分離部と、
該信号分離部で抽出された前記文字情報に係る文字列を生成する情報処理部と、
前記情報処理部で生成された前記文字列を前記ネットワークに送信する送信部
を備えており、
前記端末装置は、
前記表示装置の送信部が送信した文字列を前記ネットワークから受信する通信部と、
該通信部が受信した文字列を番組表として表示する表示部と、
該表示部に表示された文字列からユーザーがいずれかを選択するための選択部
を備えており、
前記端末装置は、さらに、
前記選択部で選択された文字列を情報検索用の検索語として前記通信部より前記ネットワークに送信し、前記検索語に係る前記関連情報を前記ネットワークから前記通信部を介して受信し、受信した前記関連情報を前記端末装置の表示部に表示する
ことを特徴とするネットワーク端末システム。
【請求項３】
請求項１、又は、請求項２に記載のネットワーク端末システムにおいて、前記情報処理部は、文字列の属性を示す属性因子を付加して前記文字列を生成することを特徴とするネットワーク端末システム。
【請求項４】
請求項３に記載のネットワーク端末システムにおいて、前記情報処理部は、前記文字列を単語または文節単位で分離して生成することを特徴とするネットワーク端末システム。
【請求項５】
請求項３に記載のネットワーク端末システムにおいて、前記表示部は、前記情報処理部が前記文字列に付加した属性因子に基づき前記文字列を区別して表示することを特徴とするネットワーク端末システム。
【請求項６】
請求項５に記載のネットワーク端末システムにおいて、前記選択部は、前記属性因子に基づく所定の文字列をユーザーに選択させることを特徴とするネットワーク端末システム。
【請求項７】
請求項６に記載のネットワーク端末システムにおいて、前記選択部は、複数の前記文字列をユーザーに選択させることを特徴とするネットワーク端末システム。
【請求項８】
請求項７に記載のネットワーク端末システムにおいて、前記選択部は、ユーザーが選択した複数の前記文字列のＡＮＤ、又は、ＯＲを前記情報検索用の検索語として前記通信部に供給することを特徴とするネットワーク端末システム。
【請求項９】
請求項１、又は、請求項２に記載のネットワーク端末システムにおいて、前記選択部は前記端末装置の表示部の表示に係るタッチパネルを有し、該タッチパネルに対してユーザーが最初にタッチした位置の文字列を先頭とし、タッチを離した位置の文字列を終端として選択された文字列を前記情報検索用の検索語として前記通信部に供給することを特徴とするネットワーク端末システム。
【請求項１０】
請求項１、又は、請求項２に記載のネットワーク端末システムにおいて、前記選択部は前記端末装置の表示部の表示に係るタッチパネルを有し、該タッチパネルに対してユーザーが最初にタッチした位置の文字列を先頭とし、次にタッチした位置の文字列を終端として選択された文字列を前記情報検索用の検索語として前記通信部に供給することを特徴とするネットワーク端末システム。
【請求項１１】
請求項９、又は、請求項１０に記載のネットワーク端末システムにおいて、前記タッチパネルは、前記選択された文字列をユーザーが視認するための表示を前記端末装置の表示部に表示させることを特徴とするネットワーク端末システム。
【請求項１２】
請求項９、又は、請求項１０に記載のネットワーク端末システムにおいて、前記タッチパネルは、ユーザーが複数の前記文字列を選択した際に、複数の前記文字列のＡＮＤ、又は、ＯＲを前記情報検索用の検索語として前記通信部に供給することを特徴とするネットワーク端末システム。
【請求項１３】
請求項１、又は、請求項２に記載のネットワーク端末システムにおいて、前記情報処理部は、前記文字列を生成した後、所定時間を経て前記文字列を前記端末装置の表示部に表示するための遅延部を備えたことを特徴とするネットワーク端末システム。
【請求項１４】
ネットワークに接続され、字幕放送を有する放送番組の関連情報を検索するネットワーク端末システムにおける端末装置であって、
前記放送番組を表示する表示部と、前記放送番組の字幕放送に係る文字情報を抽出する信号分離部と、該信号分離部で抽出された前記文字情報に係る文字列を生成する情報処理部と、該情報処理部で生成された前記文字列を前記ネットワークに送信する送信部を備えた表示装置が送信した文字列を、前記ネットワークから受信する通信部と、
該通信部が受信した文字列を表示する表示部と、
該表示部に表示された文字列からユーザーがいずれかを選択するための選択部と、
該選択部で選択された文字列を情報検索用の検索語として前記通信部より前記ネットワークに送信し、前記検索語に係る前記関連情報を前記ネットワークから前記通信部を介して受信し、受信した前記関連情報を前記端末装置の表示部に表示する
ことを特徴とする端末装置。
【請求項１５】
ネットワークに接続され、放送に伴って供給された電子番組表に記載された放送番組に係る関連情報を検索するネットワーク端末システムにおける端末装置であって、
前記放送番組を表示する表示部と、前記放送番組の電子番組表に係る文字情報を抽出する信号分離部と、該信号分離部で抽出された前記文字情報に係る文字列を生成する情報処理部と、前記情報処理部で生成された前記文字列を前記ネットワークに送信する送信部を備えた表示装置が送信した文字列を前記ネットワークから受信する通信部と、
該通信部が受信した文字列を番組表として表示する表示部と、
該表示部に表示された文字列からユーザーがいずれかを選択するための選択部と、
該選択部で選択された文字列を情報検索用の検索語として前記通信部より前記ネットワークに送信し、前記検索語に係る前記関連情報を前記ネットワークから前記通信部を介して受信し、受信した前記関連情報を前記端末装置の表示部に表示する
ことを特徴とする端末装置。
【請求項１６】
ネットワークに接続され、字幕放送を有する放送番組の関連情報を検索するネットワーク端末システムにおける表示装置であって、
前記放送番組を表示する表示部と、
前記放送番組の字幕放送に係る文字情報を抽出する信号分離部と、
該信号分離部で抽出された前記文字情報に係る文字列を生成する情報処理部と、
該情報処理部で生成された前記文字列を前記ネットワークに送信する送信部
を備えたことを特徴とする表示装置。
【請求項１７】
ネットワークに接続され、放送に伴って供給された電子番組表に記載された放送番組に係る関連情報を検索するネットワーク端末システムにおける表示装置であって、
前記放送番組を表示する表示部と、
前記放送番組の電子番組表に係る文字情報を抽出する信号分離部と、
該信号分離部で抽出された前記文字情報に係る文字列を生成する情報処理部と、
前記情報処理部で生成された前記文字列を前記ネットワークに送信する送信部
を備えたことを特徴とする表示装置。
【請求項１８】
ネットワークに接続された表示装置と端末装置を備え、字幕放送を有する放送番組の関連情報を検索するネットワーク端末システムにおける関連情報の検索方法であって、
前記表示装置は、
前記放送番組の字幕放送に係る文字情報を抽出し、
抽出された前記文字情報に係る文字列を生成し、
生成された前記文字列を前記ネットワークに送信し、
前記端末装置は、
前記表示装置が送信した文字列を前記ネットワークから受信し、
受信した前記文字列を表示し、
表示された前記文字列からユーザーがいずれかを選択し、
選択された前記文字列を情報検索用の検索語として前記ネットワークに送信し、
前記検索語に係る前記関連情報を前記ネットワークから受信し、
受信した前記関連情報を表示する
ことを特徴とするネットワーク端末システムにおける情報の検索方法。
【請求項１９】
ネットワークに接続された表示装置と端末装置を備え、放送に伴って供給された電子番組表に記載された放送番組に係る関連情報を検索するネットワーク端末システムにおける関連情報の検索方法であって、
前記表示装置は、
前記放送番組の電子番組表に係る文字情報を抽出し、
抽出された前記文字情報に係る文字列を生成し、
生成された前記文字列を前記ネットワークに送信し、
前記端末装置は、
前記表示装置が送信した文字列を前記ネットワークから受信し、
受信した前記文字列を番組表として表示し、
表示された前記文字列からユーザーがいずれかを選択し、
選択された前記文字列を情報検索用の検索語として前記ネットワークに送信し、
前記検索語に係る前記関連情報を前記ネットワークから受信し、
受信した前記関連情報を表示する
ことを特徴とするネットワーク端末システムにおける情報の検索方法。
【発明の詳細な説明】
【技術分野】
【０００１】
本発明は、字幕データ、番組情報に代表される文字情報を含むデジタル放送番組を受信し、放送番組に関連する情報を取得するネットワーク端末システムに関する。
【背景技術】
【０００２】
テレビ放送視聴中において視聴者は、出演者が話した言葉や気になるキーワードに関する情報を、さらに詳しく調べたくなるものである。近年、ＰＣのみならずインターネット機能を内蔵したテレビ受信機や携帯端末などが実用化されており、手軽に気になるキーワードをブラウザで検索できるようになってきている。
たとえば、特許文献１には、字幕データから検索語候補を抽出しＯＳＤ表示により表示された検索語候補から、ユーザーが選択した検索語候補を検索語とする検索語抽出方法が開示されている。
【０００３】
特許文献２には、視聴する放送画面からインターネット上のデータベース情報を検索し、関連付けられた情報を取得し、視聴者に放送と連動したインターネット上の関連情報を提供する関連情報取得システムが開示されている。
特許文献３には、視聴している放送番組のチャンネル情報または数値化された音声情報に基づいて、放送内容に関連した情報を取得可能なリンク情報を含むコンテンツを生成する情報提供システムが開示されている。
特許文献４には、放送番組に関する番組情報をリモートコントローラへ送信し、リモートコントローラで番組情報を表示する視聴システムが開示されている。
【先行技術文献】
【特許文献】
【０００４】
【特許文献１】特開２００９−１４１８５８号公報
【特許文献２】特開２００６−２７０８６９号公報
【特許文献３】特開２０１０−１３６１３８号公報
【特許文献４】特開２０１０−１３０４４５号公報
【発明の概要】
【発明が解決しようとする課題】
【０００５】
ＰＣやテレビ受信機などの場合は、ブラウザ画面を立ち上げるのに時間がかかり、調べたいキーワードを入力するのが困難であった。また、インターネット機能内蔵テレビでは、インターネット機能はテレビ放送の視聴機能とは別の機能であるため、視聴画面を中断して検索画面を表示する必要があり、テレビ放送を視聴しながら関連情報を調べることが難しいという問題があった。
【０００６】
さらに、特許文献１に記載の発明の場合、検索語候補しか表示できないために、どのような会話の中でその検索語が出てきたかどうか後でわからなくなり、また、ＯＳＤ表示により視聴している番組の画面内容が隠れてしまい、画像が見づらくなるという問題があった。
特許文献２に記載の発明の場合、インターネット上の情報源の中から番組放送の内容や番組自身に関する情報を入手するために、番組に表示される特徴マーク、番組マーク、テクスチャーなどからデータを取得する実施例が開示されているが、正しい情報が得られないことがあるという問題があった。
【０００７】
特許文献３に記載の発明の場合、チャンネル番号、音声の特徴から放送内容に関連した情報を取得するには、予め専用のデータベースの構築が必要である。また、リアルタイムに応答できないことがあるうえ、精度が低いためヒット率が低いという問題があった。
特許文献４に記載の発明の場合、電子番組表の番組情報以外からは情報を得ることができないという問題があった。
本発明は、上述の問題点に鑑みてなされたものであり、その目的は、視聴者がテレビ放送を視聴している時に、出演者が話した言葉や気になるキーワードに関する情報を取得して視聴者に提供するネットワーク端末システムを提供することにある。
【課題を解決するための手段】
【０００８】
前記目的を達成するため本発明は、ネットワークに接続された表示装置と端末装置を備え、字幕放送を有する放送番組の関連情報を検索するネットワーク端末システムであって、
前記表示装置は、前記放送番組を表示する表示部と、前記放送番組の字幕放送に係る文字情報を抽出する信号分離部と、該信号分離部で抽出された前記文字情報に係る文字列を生成する情報処理部と、該情報処理部で生成された前記文字列を前記ネットワークに送信する送信部を備えており、
前記端末装置は、前記表示装置の送信部が送信した文字列を前記ネットワークから受信する通信部と、該通信部が受信した文字列を表示する表示部と、該表示部に表示された文字列からユーザーがいずれかを選択するための選択部を備えており、
前記端末装置は、さらに、前記選択部で選択された文字列を情報検索用の検索語として前記通信部より前記ネットワークに送信し、前記検索語に係る前記関連情報を前記ネットワークから前記通信部を介して受信し、受信した前記関連情報を前記端末装置の表示部に表示することを特徴としている。
【０００９】
また本発明は、ネットワークに接続された表示装置と端末装置を備え、放送に伴って供給された電子番組表に記載された放送番組に係る関連情報を検索するネットワーク端末システムであって、
前記表示装置は、前記放送番組を表示する表示部と、前記放送番組の電子番組表に係る文字情報を抽出する信号分離部と、該信号分離部で抽出された前記文字情報に係る文字列を生成する情報処理部と、前記情報処理部で生成された前記文字列を前記ネットワークに送信する送信部を備えており、
前記端末装置は、前記表示装置の送信部が送信した文字列を前記ネットワークから受信する通信部と、該通信部が受信した文字列を番組表として表示する表示部と、該表示部に表示された文字列からユーザーがいずれかを選択するための選択部を備えており、
前記端末装置は、さらに、前記選択部で選択された文字列を情報検索用の検索語として前記通信部より前記ネットワークに送信し、前記検索語に係る前記関連情報を前記ネットワークから前記通信部を介して受信し、受信した前記関連情報を前記端末装置の表示部に表示することを特徴としている。
【００１０】
また本発明は、ネットワークに接続され、字幕放送を有する放送番組の関連情報を検索するネットワーク端末システムにおける端末装置であって、
前記放送番組を表示する表示部と、前記放送番組の字幕放送に係る文字情報を抽出する信号分離部と、該信号分離部で抽出された前記文字情報に係る文字列を生成する情報処理部と、該情報処理部で生成された前記文字列を前記ネットワークに送信する送信部を備えた表示装置が送信した文字列を、前記ネットワークから受信する通信部と、該通信部が受信した文字列を表示する表示部と、該表示部に表示された文字列からユーザーがいずれかを選択するための選択部と、該選択部で選択された文字列を情報検索用の検索語として前記通信部より前記ネットワークに送信し、前記検索語に係る前記関連情報を前記ネットワークから前記通信部を介して受信し、受信した前記関連情報を前記端末装置の表示部に表示することを特徴としている。
【００１１】
また本発明は、ネットワークに接続され、放送に伴って供給された電子番組表に記載された放送番組に係る関連情報を検索するネットワーク端末システムにおける端末装置であって、
前記放送番組を表示する表示部と、前記放送番組の電子番組表に係る文字情報を抽出する信号分離部と、該信号分離部で抽出された前記文字情報に係る文字列を生成する情報処理部と、前記情報処理部で生成された前記文字列を前記ネットワークに送信する送信部を備えた表示装置が送信した文字列を前記ネットワークから受信する通信部と、該通信部が受信した文字列を番組表として表示する表示部と、該表示部に表示された文字列からユーザーがいずれかを選択するための選択部と、該選択部で選択された文字列を情報検索用の検索語として前記通信部より前記ネットワークに送信し、前記検索語に係る前記関連情報を前記ネットワークから前記通信部を介して受信し、受信した前記関連情報を前記端末装置の表示部に表示することを特徴としている。
【００１２】
また本発明は、ネットワークに接続され、字幕放送を有する放送番組の関連情報を検索するネットワーク端末システムにおける表示装置であって、
前記放送番組を表示する表示部と、前記放送番組の字幕放送に係る文字情報を抽出する信号分離部と、該信号分離部で抽出された前記文字情報に係る文字列を生成する情報処理部と、該情報処理部で生成された前記文字列を前記ネットワークに送信する送信部を備えたことを特徴としている。
【００１３】
また本発明は、ネットワークに接続され、放送に伴って供給された電子番組表に記載された放送番組に係る関連情報を検索するネットワーク端末システムにおける表示装置であって、
前記放送番組を表示する表示部と、前記放送番組の電子番組表に係る文字情報を抽出する信号分離部と、該信号分離部で抽出された前記文字情報に係る文字列を生成する情報処理部と、前記情報処理部で生成された前記文字列を前記ネットワークに送信する送信部を備えたことを特徴としている。
【００１４】
また本発明は、ネットワークに接続された表示装置と端末装置を備え、字幕放送を有する放送番組の関連情報を検索するネットワーク端末システムにおける情報の検索方法であって、
前記表示装置は、前記放送番組の字幕放送に係る文字情報を抽出し、抽出された前記文字情報に係る文字列を生成し、生成された前記文字列を前記ネットワークに送信し、
前記端末装置は、前記表示装置が送信した文字列を前記ネットワークから受信し、受信した前記文字列を表示し、表示された前記文字列からユーザーがいずれかを選択し、選択された前記文字列を情報検索用の検索語として前記ネットワークに送信し、前記検索語に係る前記関連情報を前記ネットワークから受信し、受信した前記関連情報を表示することを特徴としている。
【００１５】
また本発明は、ネットワークに接続された表示装置と端末装置を備え、放送に伴って供給された電子番組表に記載された放送番組に係る関連情報を検索するネットワーク端末システムにおける情報の検索方法であって、
前記表示装置は、前記放送番組の電子番組表に係る文字情報を抽出し、抽出された前記文字情報に係る文字列を生成し、生成された前記文字列を前記ネットワークに送信し、
前記端末装置は、前記表示装置が送信した文字列を前記ネットワークから受信し、受信した前記文字列を番組表として表示し、表示された前記文字列からユーザーがいずれかを選択し、選択された前記文字列を情報検索用の検索語として前記ネットワークに送信し、前記検索語に係る前記関連情報を前記ネットワークから受信し、受信した前記関連情報を表示することを特徴としている。
【発明の効果】
【００１６】
本発明によれば、視聴者が放送を視聴している時に、簡単に精度良くキーワードを抽出して情報を視聴者に提供するネットワーク端末システムを提供することができ、視聴者に対する使い勝手の向上に寄与できるという効果がある。
【図面の簡単な説明】
【００１７】
【図１】第一の実施形態に係るネットワーク端末システムのブロック図である。
【図２】デジタル放送におけるデータストリームのデータ構造を示す図である。
【図３】字幕文データの形式を示す図である。
【図４】字幕文データの字幕文に属性因子を追加した語句データを示す図である。
【図５】タッチパネルの文字選択入力領域と動作入力領域を示す図である。
【図６】テレビ受信機における画面の遷移例を示す図である。
【図７】無線端末でテレビ字幕を表示するモードを起動したときの画面遷移例を示す図である。
【図８】無線端末でテレビ字幕を表示するモードを起動したときの自由検索モードの画面を示す図である。
【図９】第二の実施形態に係るネットワーク端末システムのブロック図である。
【図１０】テレビ受信機において番組表を表示した場合の画面を示す図である。
【図１１】テレビ受信機において番組詳細情報を表示した画面を示す図である。
【図１２】番組情報データの番組情報文に属性因子を追加した語句データを示す図である。
【図１３】無線端末でテレビ番組の詳細情報を表示するモードを起動したときの画面を示す図である。
【図１４】無線端末でテレビ番組の詳細情報を表示するモードを起動したときの自由検索モードの画面を示す図である。
【図１５】第三の実施形態に係るネットワーク端末システムのブロック図である。
【図１６】第四の実施形態に係るネットワーク端末システムのブロック図である。
【発明を実施するための形態】
【００１８】
以下、本発明の実施形態について、図面１乃至図１６を参照しながら説明する。
【実施例１】
【００１９】
以下、本発明に係る第一の実施形態を、図１乃至図８を用いて説明する。
図１は、第一の実施形態に係るネットワーク端末システムのブロック図である。
先ず、図１を用いて本実施例のネットワーク端末システムの全体構成について説明する。
本実施例のネットワーク端末システムは、例えば、テレビ受信機１、無線端末１３、無線ルータ１１、外部ネットワーク１２を備えている。図示の例は、情報通信端末としての携帯電話機等の移動体通信端末である無線端末１３の利用者が、その無線端末を持って家庭や店舗等で、テレビ受信機１でテレビ番組を視聴しているときの例である。
【００２０】
テレビ受信機１は、チューナ２、信号分離部３、入力手段４、システム制御部５、字幕解析部６、語句辞書７、映像出力部８、表示部９、ネットワーク制御部１０を備えている。
無線端末１３は、無線ネットワーク／通信制御部１４、タッチパネル１５、入力手段１６、タッチパネル制御部１７、表示部１８を備えている。
無線ルータ１１は、Ｗｉ−Ｆｉなどの無線ＬＡＮ機能を備え、通信回線を介して外部ネットワーク１２に接続できる。また、無線ルータ１１は、テレビ受信機１、無線端末１３、外部ネットワーク１２と接続されており、テレビ受信機１または無線端末１３は、インターネット網から情報を入手することができる。さらに、無線ルータ１１は、外部機器として第二のテレビ受信機２０とも接続されているが、テレビ受信機１と同様のため、ここでは説明を省略する。
【００２１】
ここで、Ｗｉ−Ｆｉは、ＩＥＥＥ(米国電気電子学会)の規格「IEEE 802.11a/IEEE 802.11b」で策定された無線ＬＡＮ（Local Area Network）の標準規格である。
チューナ２は、放送局より受信した電波より、ユーザーが指定した放送チャンネルを選局して、放送番組データを取得する構成要素である。
信号分離部３は、受信した放送データを、映像データ、音声データ、字幕文データ、番組情報データ等の種類ごとに分離して他の処理ブロックに渡す機能を有する。また、他の処理部からデータ送信要求があった場合には、後記するように、指定されたデータを要求元へ送信する。
【００２２】
入力手段４は、ユーザーがテレビ受信機１に対する操作を行い、ユーザーによって入力される操作に関する制御情報を入力する入力手段であり、例えば、リモコン、キーボード、マウス等のポインティングデバイス等により実現される。
システム制御部５は、ユーザーの操作要求を入力手段４を介して受け取り、信号分離部３、字幕解析部６、語句辞書７、映像出力部８、ネットワーク制御部１０の各ブロックを制御する。また、信号分離部３から分離された字幕文データに基づき文字列を生成し、ネットワーク制御部１０に渡す機能を有する。
字幕解析部６は、システム制御部５から字幕解析要求を受け取ると、信号分離部３より後記するような字幕ＥＳ（Elementary Stream）を取得する。そして、字幕ＥＳを解析して得たデータを字幕文データとして一時保存し、語句辞書７を参照して語句データを作成する。
【００２３】
語句辞書７は、字幕解析部６が一時保存した字幕文データから自立語単位、または単語単位で語句を検出するときに照合する辞書データである。
映像出力部８は、信号分離部３から分離された映像データおよび音声データを、システム制御部５がそれぞれ映像信号および音声信号に変換した信号を受けて、表示部９へ映像および音声を出力する。
表示部９は、映像の表示を行なう部分であり、視聴しているチャンネル等の映像の表示を行なう。表示部９は、例えばテレビやパソコンのディスプレイあるいは液晶パネル等によって構成される。
【００２４】
ネットワーク制御部１０は、有線ＬＡＮまたは無線ＬＡＮにより無線ルータ１１と接続され、字幕解析部６で生成された語句データによる文字列を、無線ルータ１１を介して無線端末１３の無線ネットワーク／通信制御部１４へ送信する。
無線ネットワーク／通信制御部１４は、無線ルータ１１を介してネットワーク制御部１０から出力された文字列を受信し、タッチパネル制御部１７に渡す。また、無線ネットワーク／通信制御部１４は、ブラウザ機能を有し、タッチパネル制御部１７から受け取った文字列を検索語として、無線ルータ１１を介して外部インターネット１２に接続しインターネット網から関連情報を入手する。さらに、無線ネットワーク／通信制御部１４は、基地局１９を通して通信ネットワークに接続され、データ通信等を行なう。
【００２５】
ユーザーは、タッチパネル１５に入力手段１６を接触させることにより、表示部１８に表示された文字列のうちのいずれかを選択することができる。
入力手段１６としては、ユーザーの指やスタイラスペンなどを用いることができる。以下の説明では、入力手段１６として、指を代表例として説明する。
タッチパネル制御部１７は、無線ネットワーク／通信制御部１４から受け取った文字列を表示部１８に供給し、タッチパネル１５に表示する。また、タッチパネル１５から入力された位置座標信号をＡ／Ｄ変換して、位置座標に対応した表示部１８上の文字列位置を検出し、その検出位置にある文字列を検索語として、無線ネットワーク／通信制御部１４と表示部１８に供給する。
【００２６】
表示部１８は、タッチパネル制御部１７から受け取った文字列を、ユーザーが選択した文字情報として確認できるように、タッチパネル１５に表示する。
次に、図１、図２および図３を用いて本実施形態のネットワーク端末システムに関連するデータ構造について説明する。
図２は、デジタル放送におけるデータストリームのデータ構造を示す図である。
デジタル放送では、伝送方式にＭＰＥＧ−２  ＴＳ（Transport Stream）が用いられている。映像データ、音声データおよびデータ放送で用いられている全てのデータは、図２に示されるＴＳパケット（ＴＳＰ）１０１で伝送される。
【００２７】
特に、映像データや音声データや字幕文データは、ＥＳ（Elementary Stream）に符号化圧縮され、それぞれ、映像ＥＳ１０２、音声ＥＳ１０３、字幕ＥＳ１０４となる。これらのＥＳには、表示時刻情報などを示すＰＥＳヘッダ１０５が付加されたＰＥＳ（Packetized Elementary Stream）形式でパケット化される。ＰＥＳヘッダ１０５には、タイムスタンプが含まれ、このタイムスタンプによって、各パケットの再生同期をとることが可能である。図２からも分かるように、複数のＴＳパケットのペイロードより、一つのＰＥＳパケットが作られることがある。
【００２８】
図１に示された信号分離部３は、図２のデータストリームを解析してパケットの種類毎に分離する。
次に、図３を用いて字幕文データについて説明する。
図３は、字幕文データの形式を示す図である。
【００２９】
字幕文データは、図３に示されるように、タイムスタンプ１０６と字幕文１０７と制御コード１０８のテーブル形式で保存される。
タイムスタンプ１０６は、ＰＥＳヘッダ１０５に含まれる字幕表示時刻であり、放送開始時刻からの相対時間で表示される。
字幕文１０７は、字幕ＥＳ１０４に含まれるテキスト情報である。
【００３０】
制御コード１０８は、字幕ＥＳ１０４中に含まれる文字色や描画位置や消去するタイミング等の字幕表示を制御するためのデータである。
システム制御部５が字幕表示要求をしたときに、タイムスタンプ１０６を監視して、表示時刻になれば字幕文１０７と制御コード１０８が映像出力部８に送信されて、字幕として表示することができる。
【００３１】
次に、図４を用いて本実施形態のネットワーク端末システムに関連する語句データについて説明する。
図４は、字幕文データの字幕文に属性因子を追加した語句データを示す図であり、字幕解析部６から得られた字幕文データの字幕文１０７に語句を識別するための属性因子１０９を追加した語句データを示す。
【００３２】
字幕解析部６は、字幕文データの字幕文１０７から自立語単位または単語単位で語句を検出する。語句辞書７により字幕文データにおける字幕文１０７の文字列の先頭文字から順に１文字、あるいは先頭と次の２文字といった組み合わせで語句辞書データと照合する。該当する語句があれば、この自立語単位または単語単位の語句で、その他の文字と区別するための属性因子１０９を文字列に追加する。残りの文字列についても同様に語句辞書７との照合を繰り返す。これによって、文字列を語句単位で区別できる文字列を得ることができる。
本例では、語句の種別としての属性因子１０９として、「１」は普通名詞・固有名詞・数詞・連体詞等、「２」は助詞・助動詞・形容詞・動詞・接続詞・副詞等としている。
【００３３】
次に、図１および図５を用いて本実施形態のネットワーク端末システムに関連するタッチパネル１５、入力手段１６、タッチパネル制御部１７、表示部１８の構成について説明する。
図５は、タッチパネル１５の文字選択入力領域１１０と動作入力領域１１１を示す図である。
【００３４】
タッチパネル制御部１７は、ネットワーク制御部１０および無線ネットワーク／通信制御部１４を介して、字幕解析部６により検出された語句に属性因子が追加された文字列を受け取り、属性因子が「１」の語句を他の語句と区別するために背景色や文字色等を変えるなど文字修飾を変えて表示部１８に表示させる。
タッチパネル１５は、文字列の語句を選択するための文字選択入力領域１１０と、検索方法や検索動作を指示する動作入力領域１１１とに分かれている。
文字選択入力領域１１０においてユーザーは、背景色や文字色などで区別された文字列領域を指でタッチすることにより、表示部１８により表示された文字列の中から、いずれか一つを選択できる。また、複数個所をタッチすることにより、複数の語句を同時に選択できる。
【００３５】
動作入力領域１１１においてユーザーは、入力手段１６として指でタッチされた文字列領域の語句を検索語として検索する際に複数語句を選択した場合には、「ＡＮＤ条件」または「ＯＲ条件」を指でタッチすることにより、いずれか一方を選択できる。実施例では、検索条件設定と検索開始を互いに離れた別の動作入力領域としたが、「ＡＮＤ検索」または「ＯＲ検索」と隣接させても良い。ここで選択された語句は、タッチパネル制御部１７、無線ネットワーク／通信制御部１４と無線ルータ１１を介して外部ネットワーク１２に供給される。さらに以下で述べるように、字幕情報から得られた番組に関連する当該語句を検索語として、インターネット網により当該語句に係る情報の検索が行われる。
【００３６】
次に、図６および図７を用いて本実施形態のネットワーク端末システムの動作例について説明する。
図６は、テレビ受信機１における画面の遷移例を示す図である。図６において、視聴者は字幕データを含むデジタル放送番組を視聴しているものとする。この字幕データは、デジタル放送番組の音声をテキスト化し字幕として表示しているものであり、放送局側でデジタル放送信号に付加されて送信される。例えば、テレビ受信機１では、図６（Ａ）に示すように「今日は何の日でしょうか？」という言葉が音声信号として出力されており、字幕データを画面に表示するかどうかは、テレビ受信機１の入力手段４で視聴者が自由に選択できるようになっているものとする。図６（Ｂ）乃至（Ｅ）は、時系列順に会話された内容を示している。
【００３７】
図７は、無線端末１３でテレビ字幕を表示するモードを起動したときの画面を示す図である。放送において、図６（Ａ）乃至（Ｅ）に示すように会話されたとすると、無線端末１３の画面には、現在放送されている字幕の文字列が図７のように時系列順に表示される。
字幕が画面一杯に表示された場合は、スクロールにより順に新しい字幕を表示するようにしても良い。また、通常、字幕は音声信号に同期して表示されるが、気になった言葉を後で確認できるようにするために文字列を蓄積し、ある一定時間遅らせて当該文字列を表示するようにしても良い。
本例では、画面に枠で囲った語句が自立語または単語等を表している。ここで、視聴者が指で、「電気記念日」の箇所をタッチして「検索開始」をタッチすると、「電気記念日」に関する詳細情報がインターネットから入手できる。選択箇所が一つの場合は、「電気記念日」の箇所をタッチするだけで、ワンタッチで検索するように設定することもできる。
【００３８】
検索条件でＡＮＤまたはＯＲの条件で、複数語句を組み合わせて検索したい場合は、例えば、「電気記念日」と「アーク灯」を続けてタッチし、そして「ＡＮＤ検索」をタッチすると、「電気記念日」かつ「アーク灯」の条件でワンタッチ検索することができる。
次に、図８を用いて本実施形態のネットワーク端末システムの他の動作例について説明する。
【００３９】
図８は、無線端末１３でテレビ字幕を表示するときに、自由検索モードを起動したときの画面遷移例を示す図である。
図８において、図７と異なり、他の語句と区別するための枠は表示されていない。視聴者が気になった語句等があった場合は、気になった語句の先頭の文字から最後の文字までを指でなぞると、最初にタッチした文字を文字列の先頭とし、タッチを離した文字を文字列の終端とする文字列が選択される。図８（Ａ）では、最初にタッチした文字が、「電」であることを示している。図８（Ｂ）、（Ｃ）のように、指でなぞって最後に指を離したときの文字が「日」であれば、「電気記念日」という語句が選択される。このとき、指で選択した箇所は、文字色や背景色など文字修飾を変えて他と区別しても良い。本例では、画面に枠で囲った語句が選択語句を表している。また、語句を選択するとき、最初にタッチした文字を文字列の先頭とし、次にタッチした位置を文字列の終端として文字列を選択するようにしても良い。
【００４０】
この後、「検索開始」をタッチすると、「電気記念日」に関する詳細情報がインターネットから入手できる。
また、複数語句を選択することにより、前述の例のようにＡＮＤ条件やＯＲ条件等の検索条件を変えて検索することができることはいうまでもない。さらに、この動作例では、字幕解析部６による語句の検出が不要となり、自由検索モードのみであれば、字幕検出部６、語句辞書７を削除することもできる。
【００４１】
以上述べた実施例によれば、テレビ受信機１でテレビ放送を視聴するユーザーは、字幕文、或いはテレビ受信機１が有する字幕解析部６で字幕文から生成された文字列を無線端末１３で受信し、出演者が話した言葉や気になるキーワードに係る文字列をタッチパネル１５で選択し、インターネット網をはじめとする外部ネットワークを介して前記文字列に係る情報を取得することができる。また、そのためのネットワーク端末システム、端末装置、表示装置、及びネットワーク端末システムにおける関連情報の検索方法を提供することができる。
テレビ放送を表示するテレビ受信機と、情報検索用のための文字列を表示する無線端末が別であるため、ブラウザ画面を立ち上げる時間が問題となることは少ない。情報検索のためにテレビ放送の視聴が中断され、或いは、ＯＳＤ表示によって見づらくなる問題は解消される。さらには、検索精度の高いキーワードを容易に指定できる効果もある。
【実施例２】
【００４２】
以下、本発明に係る第二の実施形態を、図９乃至図１４を用いて説明する。
なお、本実施形態では、第一の実施形態と比較し、異なるところを強調して説明する。
図９は、第二の実施形態に係るネットワーク端末システムの一実施例を示すブロック構成図である。
本実施例のネットワーク端末システムは、第一の実施形態における構成と同様に、テレビ受信機１、無線端末１３、無線ルータ１１、外部ネットワーク１２を備えている。
テレビ受信機１は、チューナ２、信号分離部３、入力手段４、システム制御部５、番組情報解析部２１、語句辞書７、映像出力部８、表示部９、ネットワーク制御部１０を備えている。
【００４３】
無線端末１３は、無線ネットワーク／通信制御部１４、タッチパネル１５、入力手段１６、タッチパネル制御部１７、表示部１８を備えている。
第一の実施形態においては、字幕文データから文字列を生成し、この文字列の中から特定の語句を検索語として検索していた。本実施形態は、番組情報データから文字列を生成し、この文字列の中から特定の語句を検索語として検索できるようにするものである。
本実施形態のネットワーク端末システムの構成は、図９に示されるように、番組情報解析部２１がシステム制御部５から番組情報解析要求を受け取ると、信号分離部３から番組配列情報ＳＩ（Service Information）を取得する。そして、番組配列情報を解析して、番組情報データとして一時保存し、語句辞書７を参照して語句データを作成する。
【００４４】
ネットワーク制御部１０は、有線ＬＡＮまたは無線ＬＡＮにより無線ルータ１１と接続され、字幕解析部２１で生成された文字列を、無線ルータ１１を介して無線端末１３の無線ネットワーク／通信制御部１４へ送信する。
図１０は、テレビ受信機１において番組表を表示した場合の画面を示す図である。番組表には、番組タイトルが表示されるが、表示領域の関係で一部しか表示できないために、番組詳細情報は、別の画面で確認できるようになっている。本例では、「女神の市場」が視聴中の番組であるため、視聴中の番組を示すために、番組表示部のセルを太枠囲うような表示となっている。
図１１は、テレビ受信機１において番組詳細情報を表示した画面を示す図である。入力手段４からの指示により、番組詳細情報を表示すると詳細情報を確認できる。
【００４５】
図１２は、番組情報データの番組情報文に属性因子を追加した語句データを示す図であり、番組情報解析部２１から得られた番組情報データの番組情報文１１２から語句を識別するために属性因子１０９を追加した語句データを示す。
番組情報解析部６は、番組情報データの番組情報文１１２から自立語単位または単語単位で語句を検出する。語句辞書７により番組情報データの番組情報文１１２の文字列の先頭文字から順に１文字、あるいは先頭と次の２文字といった組み合わせで語句辞書データと照合する。該当する語句があれば、この自立語単位または単語単位の語句で、その他の文字と区別するための属性因子１０９を文字列に追加する。残りの文字列についても同様に語句辞書７との照合を繰り返す。これによって、文字列を語句単位で区別できる文字列を得ることができる。
【００４６】
第一の実施形態と同様に、本例では、語句の種別としての属性因子１０９として、「１」は普通名詞、固有名詞、数詞、連体詞等、「２」は助詞、助動詞、形容詞、動詞、接続詞、副詞等としている。「３」は「番組タイトル」、「出演者」、「番組内容」、記号等で番組表では固定の語句・記号のものを表している。例えば図１１における「番組タイトル：」に続く番組タイトル（ここでは“女神の市場”）は、一連の語句を一つの語句として扱われる。
タッチパネル制御部１７は、ネットワーク制御部１０および無線ネットワーク／通信制御部１４を介して、番組情報解析部２１により検出された語句に属性因子が追加された文字列を受け取り、属性因子１０９が「１」の語句を他の語句と区別するために背景色や文字色を変えて表示部１８に表示させる。
【００４７】
図１３は、無線端末１３でテレビ番組の詳細情報を表示するモードを起動したときの画面を示す図である。無線端末１３の画面には、現在視聴中の番組の番組タイトル、出演者、番組内容などが表示される。
本例では、画面に枠で囲った語句が自立語または単語等を表している。ここで、視聴者が指で、「極上ロール」の箇所をタッチして「検索開始」をタッチすると、「極上ロール」に関する詳細情報がインターネットから入手できる。選択箇所が一つの場合は、「極上ロール」の箇所をタッチするだけで、ワンタッチで検索するように設定することもできる。
検索条件で「ＡＮＤ条件」または「ＯＲ条件」で、複数語句を組み合わせて検索したい場合は、第一の実施形態と同様に複数語句を続けてタッチし、そして「ＡＮＤ検索」または「ＯＲ条件」をタッチすると、ワンタッチ検索することができる。
【００４８】
図１４は、無線端末１３でテレビ番組の詳細情報を表示するモードを起動したときの自由検索モードの画面を示す図である。
視聴者が気になった語句等があった場合は、気になった語句の先頭の文字から最後の文字までを指でなぞると、最初にタッチした文字を文字列の先頭とし、タッチを離した文字を文字列の終端とする文字列が選択される。図１３では、最初にタッチした文字が、「極」で、指でなぞって最後に指を離したときの文字が「ツ」で、「極上ロールに続く大ヒット目前スイーツ」という語句が選択される。このとき、指で選択した箇所は、文字色や背景色など文字修飾を変えて他と区別してもよい。本例では、画面に枠で囲った語句が選択語句を表している。また、語句を選択するとき、最初にタッチした文字を文字列の先頭とし、次にタッチした位置を文字列の終端として文字列を選択するようにしても良い。
【００４９】
この後、「検索開始」をタッチすると、「極上ロールに続く大ヒット目前スイーツ」に関する詳細情報がインターネットから入手できる。
また、複数語句を選択することにより、前述の例のようにＡＮＤ条件やＯＲ条件等の検索条件を変えて検索することができることはいうまでもない。さらに、この動作例では、番組情報解析部２１による語句の検出が不要となり、自由検索モードのみであれば、第一の実施形態と同様に番組情報解析部２１、語句辞書７を削除することもできる。
【００５０】
以上述べた実施例によれば、テレビ受信機１でテレビ放送を視聴するユーザーは、番組情報、或いはテレビ受信機１が有する番組情報解析部で番組情報から生成された文字列を無線端末１３で受信し、出演者が話した言葉や気になるキーワードに係る文字列をタッチパネル１５で選択し、インターネット網をはじめとする外部ネットワークを介して前記文字列に係る情報を取得することができる。また、そのためのネットワーク端末システム、端末装置、表示装置、及びネットワーク端末システムにおける関連情報の検索方法を提供することができる。
テレビ放送を表示するテレビ受信機と、情報検索用のための文字列を表示する無線端末が別であるため、ブラウザ画面を立ち上げる時間が問題となることは少ない。情報検索のためにテレビ放送の視聴が中断され、或いは、ＯＳＤ表示によって見づらくなる問題は解消される。さらには、検索精度の高いキーワードを容易に指定できる効果もある。
【実施例３】
【００５１】
以下、本発明に係る第三の実施形態を、図１５を用いて説明する。
なお、本実施形態では、第一の実施形態と比較し、異なるところを強調して説明する。
図１５は、第三の実施形態に係るネットワーク端末システムの一実施例を示すブロック構成図である。
本実施例のネットワーク端末システムは、無線端末１３、無線ルータ１１、外部ネットワーク１２を備える。
無線端末１３は、チューナ２、信号分離部３、入力手段４、システム制御部５、字幕解析部６、語句辞書７、映像出力部８、表示部９、無線ネットワーク／通信制御部１４、タッチパネル１５、入力手段１６、タッチパネル制御部１７、表示部１８を備える。
【００５２】
第一の実施形態においては、テレビ受信機１の字幕解析部６で字幕文データから文字列を生成し、この文字列をネットワークを介して無線端末１３に供給していた。本実施形態は、無線端末１３の字幕解析部６で字幕文データから文字列を生成し、無線ネットワーク／通信制御部１４を介してタッチパネル制御部１７に渡すようになっている。
この構成により、第一の実施形態と同様に、字幕情報から得られた番組に関連する語句を検索語としてインターネット網により検索することができる。
第三の実施形態において無線端末１３は、テレビ放送を表示するテレビ受信機と情報検索用のための文字列を表示する無線端末が一体となっているが、双方が表示部９と１８を備えることにより、先の第一の実施形態と同様な効果を有している。
【実施例４】
【００５３】
以下、本発明に係る第四の実施形態を、図１６を用いて説明する。
なお、本実施形態では、第三の実施形態と比較し、異なるところを強調して説明する。
図１６は、第四の実施形態に係るネットワーク端末システムの一実施例を示すブロック構成図である。
本実施例のネットワーク端末システムは、無線端末１３、無線ルータ１１、外部ネットワーク１２を備える。
無線端末１３は、チューナ２、信号分離部３、入力手段４、システム制御部５、番組情報解析部２１、語句辞書７、映像出力部８、表示部９、無線ネットワーク／通信制御部１４、タッチパネル１５、入力手段１６、タッチパネル制御部１７、表示部１８を備える。
【００５４】
第三の実施形態においては、字幕文データから文字列を生成し、この文字列の中から特定の語句を検索語として検索していた。本実施形態は、番組情報データから文字列を生成し、この文字列の中から特定の語句を検索語として検索できるようにしたものである。
この構成により、第二の実施形態と同様に、番組情報から得られた番組に関連する語句を検索語としてインターネット網により検索することができる。
【００５５】
第四の実施形態において無線端末１３は、テレビ放送を表示するテレビ受信機と情報検索用のための文字列を表示する無線端末が一体となっているが、双方が表示部９と１８を備えることにより、先の第二の実施形態と同様な効果を有している。
以上述べた実施形態においては、構成要素を追加または変更し、また、相互間の接続と各構成要素の動作を変更した変形例を考えることができるが、いずれも本発明の範疇にある。
【符号の説明】
【００５６】
１：テレビ受信機、２：チューナ、３：信号分離部、４：入力手段、５：システム制御部、６：字幕解析部、７：語句辞書、８：映像出力部、９：表示部、１０：ネットワーク制御部、１１：無線ルータ、１２：外部ネットワーク、１３：無線端末、１４：無線ネットワーク／通信制御部、１５：タッチパネル、１６：入力手段、１７：タッチパネル制御部、１８：表示部、２１：番組情報解析部、１０１：ＴＳパケット、１０２：映像ＥＳ、１０３：音声ＥＳ、１０４：字幕ＥＳ、１０５：ＰＥＳヘッダ、１０６：タイムスタンプ、１０７：字幕文、１０８：制御コード、１０９：属性因子、１１０：文字選択入力領域、１１１：動作入力領域、１１２：番組情報文。
【図１】
2013045139.tif 000003
【図２】
2013045139.tif 000004
【図３】
2013045139.tif 000005
【図４】
2013045139.tif 000006
【図５】
2013045139.tif 000007
【図６】
2013045139.tif 000008
【図７】
2013045139.tif 000009
【図８】
2013045139.tif 000010
【図９】
2013045139.tif 000011
【図１０】
2013045139.tif 000012
【図１１】
2013045139.tif 000013
【図１２】
2013045139.tif 000014
【図１３】
2013045139.tif 000015
【図１４】
2013045139.tif 000016
【図１５】
2013045139.tif 000017
【図１６】
2013045139.tif 000018